(57)【要約】      （修正有）【課題】窓開閉とクレセント錠の各監視状態を装置そのもので認識可能とする。【解決手段】窓開閉監視部７８は、引き違い窓の一方に配置したマグネットの磁力を窓開閉検出用ホールセンサ４６で検出して窓の開閉を検出する。施錠監視部８０は、クレセント錠の開閉レバーに配置したマグネットの磁力を施錠検出用ホールセンサ４８で検出してクレセント錠の開閉を検出する。状態報知部８２は、窓閉と錠閉の検出状態への状態変化を判別して緑色ＬＥＤ５６ｂの点灯により正常監視状態となったことを報知し、また正常監視状態から窓開、錠開、又は窓開と錠開の検出状態への変化を判別して赤色ＬＥＤ５６ａの点灯により異常検出状態となったことを報知する。【選択図】図６
2010129011.tif 000002
【特許請求の範囲】
【請求項１】
窓に配置した第１マグネットの磁力を第１磁気検知素子で検出して窓の開閉を検出する窓開閉監視部と、
前記窓に設けた錠の開閉レバーに配置した第２マグネットの磁力を第２磁気検知素子で検出して錠の開閉を検出する施錠監視部と、
前記窓開閉監視部及び前記施錠監視部による窓閉及び錠閉となる検出状態への変化を判別して正常監視状態を報知し、前記窓開閉監視部による窓開、前記施錠監視部による錠開、又は前記窓開閉監視部と前記施錠監視部による窓開及び錠開となる検出状態への変化を判別して異常検出状態を報知する状態報知部と、
を設けたことを特徴とする窓開閉監視装置。
【請求項２】
請求項１記載の窓開閉検出装置に於いて、前記状態報知部は、前記正常監視状態への変化を第１表示灯の点灯で報知し、前記異常検出状態への変化を第２表示灯の点灯で報知することを特徴とする窓開閉監視装置。
【請求項３】
請求項１記載の窓開閉検出装置に於いて、前記第１表示灯は緑色ＬＥＤであり、前記第２表示灯は赤色ＬＥＤであることを特徴とする窓開閉監視装置。
【請求項４】
請求項１記載の窓開閉検出装置に於いて、前記状態報知部は、状態変化を検出した場合に、変化後の状態を所定時間だけ報知することを特徴とする窓開閉監視装置。
【請求項５】
請求項１記載の窓開閉監視装置に於いて、前記第１及び第２磁気検知素子はホールセンサであることを特徴とする窓開閉検出装置。
【発明の詳細な説明】
【技術分野】
【０００１】
本発明は、窓の開閉状態をホールセンサなどの磁気検知素子を使用して検出する窓開閉検出装置及び初期登録方法に関する。
【背景技術】
【０００２】
従来、監視対象として窓の開閉を検出して無線により監視盤に送信して警報させる無線式の窓開閉監視装置が知られている。このような窓開閉監視装置にあっては、窓ガラスに配置したマグネットの磁力を磁気検知素子で検出し、検出磁力が低下したときに窓開閉と判断して異常検出信号を警報盤に無線送信して警報させる。また窓に設けた監視対象としてクレセント錠の開閉レバーに配置したマグネットの磁力を別の磁気検知素子で検出し、開閉レバーが開放されてマグネットが磁気検知素子から離れることで検出磁力が低下したときにクレセント錠の開放と判断して異常検出信号を警報盤に無線送信して警報させている。
【０００３】
従来の窓開閉装置に使用される磁気検知素子は主に磁力の強弱に応じて接点を機械的にオン、オフするリードスイッチを使用していたが、近年にあっては、ホール効果を利用して磁力を検出するホールセンサを採用することが検討されている。
【０００４】
ホールセンサは磁力の強さに比例したアナログ検出信号を出力することから、窓ガラスにマグネットを配置してホールセンサにより窓の開閉を検出する場合、アナログ信号として得られる磁力レベルから窓の開閉を検出するための判定閾値を適切に設定する必要がある。
【０００５】
窓の開閉を検出するための判定閾値の設定は、製造段階の最終の検査工程などで、窓に対する設置状態と同じ測定環境をセッティングし、窓閉と同じ距離にマグネットを配置してその時の磁力レベルを求め、この磁力レベルに対し所定比率低い値を判定閾値として設定することで、窓開閉の監視動作が可能となる。
【０００６】
また、クレセンサ錠の開閉を検出するための判定閾値の設定は、クレセント錠のタイプが様々であることから、現場に設置した状態でマグネットを配置した開閉レバーを閉位置に操作し、この時の磁力レベルを求め、この磁力レベルに対し所定比率低い値を判定閾値として設定することで、クレセント錠の監視動作が可能となる。
【特許文献１】特開２００３−２８１６３６号公報
【特許文献２】特開２００１−１４９９０号公報
【発明の開示】
【発明が解決しようとする課題】
【０００７】
しかしながら、このような磁気検知素子としてホールセンサを使用して窓開閉監視とクレセント錠の開閉監視を行う窓開閉検出装置にあっては、外出の際に戸締りをすることで、窓の閉状態及びクレセント錠の施錠状態が検出され、この状態で監視装置を留守番モードにセットすることで監視動作が開始されるが、窓が完全に閉じていなかったり、クレセント錠が全閉位置に操作されていないような場合、窓開閉検出装置から監視盤に異常検出信号が無線送信されており、留守番モードをセットすると異常警報が出され、戸締りを再度確認しなおす必要があり、留守番モードのセッティングに手間と時間がかかる恐れがある。
【０００８】
また現場に窓開閉検出装置を設置して例えばクレセント錠の監視に必要な判定閾値を現場操作で設定する場合、正常に閾値設定が行われて監視動作に入ったかどうかは、クレセント錠を開閉操作しながら監視盤を見に行って留守番モードが設定できるか、留守盤モードで警報動作するか確認する必要があり、設置時の現場での調整作業が煩雑になるという問題がある。
【０００９】
本発明は、窓開閉とクレセント錠の各監視状態を装置そのもので認識可能とした窓開閉検出装置を提供することを目的とする。
【課題を解決するための手段】
【００１０】
本発明は、窓開閉検出装置に於いて、
窓に配置した第１マグネットの磁力を第１磁気検知素子で検出して窓の開閉を検出する窓開閉監視部と、
窓に設けた錠の開閉レバーに配置した第２マグネットの磁力を第２磁気検知素子で検出して錠の開閉を検出する施錠監視部と、
窓開閉監視部及び施錠監視部による窓閉及び錠閉となる検出状態への変化を判別して正常監視状態を報知し、窓開閉監視部による窓開、施錠監視部による錠開、又は窓開閉監視部と施錠監視部による窓開及び錠開となる検出状態への変化を判別して異常検出状態を報知する状態報知部と、
を設けたことを特徴とする。
【００１１】
ここで、状態報知部は、正常監視状態への変化を第１表示灯の点灯で報知し、異常検出状態への変化を第２表示灯の点灯で報知する。第１表示灯は緑色ＬＥＤであり、第２表示灯は赤色ＬＥＤである。
【００１２】
状態報知部は、状態変化を検出した場合に、変化後の状態を所定時間だけ報知する。
【００１３】
第１及び第２磁気検知素子はホールセンサである。
【発明の効果】
【００１４】
本発明によれば、窓開閉検出装置に設けた表示灯などの報知手段により、窓開閉監視部により窓閉が検出され、且つ施錠監視部により錠閉が検出されているときに、正常状態を示す報知、例えば緑ＬＥＤの点灯が行われ、一方、窓開閉監視部による窓開と施錠監視部による錠開のいずれか一方又は両方が検出されているときには、異常状態を示す報知、例えば赤色ＬＥＤの点灯が行われ、窓開閉検出装置の設置場所で行う窓の開閉検出状態とクレセント錠の開閉検出状態が簡単且つ容易に確認でき、外出時の戸締りの確認が確実にでき、留守盤モードのセットで誤って警報が出されて戸締りを確認しなおすことがなくなり、非常に使い易い監視システムとすることができる。
【００１５】
また現場で行うクレセント錠の監視に必要な判定閾値に設定操作においても、正しい設定操作が完了すると緑ＬＥＤが点灯して正常監視状態を報知し、監視装置に戻って状態監視を確認する必要がなく、現場での設置調整を簡単且つ確実に行うことができる。
【発明を実施するための最良の形態】
【００１６】
図１は本発明による窓開閉検出装置の設置状態を示した説明図である。図１において、本発明の窓開閉検出装置１０は監視対象とする引き違い窓の窓サッシ１２ａ，１２ｂの縦枠に両面テープ又はビスなどにより固定される。
【００１７】
窓開閉検出装置１０の上側には、窓サッシ１２ａ，１２ｂを閉じた状態で、相対する位置に窓開閉検出マグネット１４を両面テープで貼り付けており、窓開閉検出マグネット１４からの磁力を内蔵した磁気検知素子としてホールセンサにより検出している。
【００１８】
窓サッシ１２ａ，１２ｂを開くと、窓開閉検出マグネット１４が窓開閉検出装置１０から離れることで磁力が低下し、この磁力の低下をホールセンサで検出して窓開を示す検出信号を別途設置された監視盤に無線で送信して警報させる。
【００１９】
また窓開閉検出装置１０はその下端を窓サッシ１２ａ，１２ｂに設けているクレセント錠１６に近接するように配置し、クレセント錠１６の開閉レバー１８に貼り付けたクレセント錠検出マグネット２０の磁力を下端側に内蔵した別のホールセンサで検出している。
【００２０】
クレセント錠１６は開閉レバー１８を図示の垂直方向に回した操作位置で窓サッシ１２ａ，１２ｂを施錠しており、このときクレセント錠検出マグネット２０は窓開閉検出装置１０に最も近接してホールセンサで検出する磁力が最大となり、施錠状態を検出している。
【００２１】
開閉レバー１８を下側に回してクレセント錠１６を開錠すると、クレセント錠検出マグネット２０が離れることで磁力が低下し、この磁力の低下をホールセンサで検出して解錠状態を示す検出信号を監視装置に無線送信して警報させる。
【００２２】
図２は本発明による窓開閉検出装置の実施形態を示した組立分解図である。図２において、本実施形態の窓開閉検出装置１０は装置本体２２とカバー部材２４で構成される。
【００２３】
装置本体２２は、底部側から、ベース３０、金属製のプレートロックカバー３２、ボディケース３６、アンテナ４０を備えた回路基板３８及び本体カバー４０を組み立てており、更に電池４４が着脱自在に設けられる。カバー部材２４のクレセント錠側に位置する端部には、円錐状の集磁体２６がホルダー部材２８に組み込み固定された状態で収納される。
【００２４】
回路基板３８の上部側にはセンサ基板４５が起立され、ここに窓開閉検出用ホールセンサ４６を配置している。また回路基板３８の下端にはクレセント錠検出用ホール素子４８が設置されている。
【００２５】
図３は本実施形態による窓開閉検出装置１０について、カバー部材２４を装置本体２２から外した状態を示した説明図である。装置本体２２の上部には、赤色ＬＥＤと緑ＬＥＤを用いた表示部５６、施錠検出用ホールセンサ４８で検出した磁力を判定するための閾値の登録処理を実行させる登録スイッチ６０、カバー部材２４の着脱を検出するタンパスイッチ６４が設けられている。装置本体２２はカバー部材２４の嵌め込みを受けて嵌合固定する。
【００２６】
また装置本体２２の上部中央には４つの端子ピン穴を備えたシリアルポート５５が設けられ、ここに外部のパーソナルコンピュータを接続することで、内蔵したプロセッサとの間でプログラムやデータなどを転送可能としている。
【００２７】
カバー部材２４は装置本体２２に対し着脱自在あり、正面中央に表示窓５７を設け、装置本体２２の表示部５６の表示状態が見えるようにしている。
【００２８】
図４は図１の設置状態におけるホールセンサとマグネットの関係を示した説明図であり、図４（Ａ）に平面を示し、図４（Ｂ）に横方向から見た状態を示している。
【００２９】
図４（Ａ）に示すように、本実施形態の窓開閉検出装置１０は内側に位置する窓サッシ１２ａの縦枠に両面テープ又はビスにより取り付けられ、窓開閉検出装置１０の右側面に相対して窓サッシ１２ｂのガラス面に窓開閉検出マグネット１４を両面テープで接着している。
【００３０】
窓開閉検出装置１０に内蔵した窓開閉検出用ホールセンサ４６は、図４（Ｂ）に示すように、窓開閉検出マグネット１４に有効検出面を相対するようにセンサ基板４５に実装しており、窓サッシ１２ａ，１２ｂを閉じた図示の状態で、装置側面からの距離ｄは最小となり、窓開閉検出マグネット１４は破線で示す磁力線の方向に応じて例えばプラス極性で最大となる磁力レベルの検出信号を出力している。
【００３１】
窓閉における最小距離ｄは、窓サッシの構造や窓開閉検出装置１０の取り付け状態により変化するが、本実施形態にあっては、規定範囲内の距離に配置されたときの磁力レベルに対し窓閉の判定結果が効率よく得られるように、アンプ５２による増幅率や判定閾値を設定している。
【００３２】
この窓開閉を検出する窓判定閾値の設定は、製造工程の最終段階となる検査工程あるいは設置後の初期登録作業において、所定の距離に実際に組み合わせて使用する窓開閉検出マグネット１４を配置した測定環境を使用した磁力レベルの登録処理を通じて行われ、この詳細は後の説明で明らかにする。
【００３３】
図５は、図１に対し窓の開閉が逆になった設置状態におけるホールセンサとマグネットの関係を示した説明図である。この場合には図５（Ａ）に示すように、窓サッシ１２ｂが内側となり、その縦枠に図４とは反対向きに窓開閉検出装置１０が設置される。
【００３４】
このため図５（Ｂ）の横方向から見た状態では、窓サッシ１２ａのガラス面に貼り付けた窓開閉検出マグネット１４による破線で示す磁力線は窓開閉検出用ホール素子４６を左から右に通過し、図４（Ｂ）の場合とは逆方向となるため、窓開閉検出用ホールセンサ４６からはマイナスとなる逆極性の磁力レベル検出信号が出力される。
【００３５】
更に本実施形態にあっては、悪戯などにより窓開閉検出装置が動作しないように強力な磁石を近づける不正行為に対し、これを窓開と看做して判定する別の窓判定閾値が設定される。
【００３６】
図６は本実施形態による窓開閉検出装置の回路構成を示したブロック図である。図６において、制御部として設けられたプロセッサ５０はワンチップマイコンとして知られたコンピュータであり、１チップにＣＰＵ、ＲＯＭ，ＲＡＭ、ＡＤ変換ポート、各種の入出力ポートなどを備えており、本実施形態ではＥＥＰＲＯＭなどの不揮発メモリ６８を外付けしている。
【００３７】
窓開閉検出用ホールセンサ４６で検出した窓ガラスに設けた窓開閉検出マグネット１４による磁力レベル検出信号は、増幅回路５２で増幅された後にＡＤ変換ポート７０に与えられ、デジタル変換した磁力レベル（ＡＤ変換値）をプロセッサ５０に取り込み、例えば８ビットのＡＤ変換データに変換される。
【００３８】
また、施錠検出用ホールセンサ４８で検出したクレセント錠１６の開閉レバー１８に設けたクレセント錠検出マグネット２０による磁力レベル検出信号も増幅回路５４で増幅された後にＡＤ変換ポート７２に与えられ、デジタル変換した磁力レベル（ＡＤ変換値）をプロセッサ５０に取り込み、同じく８ビットのＡＤ変換データに変換される。
【００３９】
プロセッサ５０に対しては、表示部５６、周波数切替スイッチ５８、登録スイッチ６０、テストスイッチ６２、タンパスイッチ６４、及び無線送信部６６が設けられている。
【００４０】
表示部５６は赤色ＬＥＤ５６ａと緑色ＬＥＤ５６ｂの２色ＬＥＤを設けており、例えば窓開や解錠などの異常検出で赤色ＬＥＤ５６ａを点灯し、その後の正常復帰で緑色ＬＥＤ５６ｂを点灯して監視状態を表示する。周波数切替スイッチ５８は無線送信部６６について予め準備された複数の使用可能チャネルのいずれか１つを選択する。
【００４１】
登録スイッチ６０は本実施形態の使用開始時に行う施錠登録モードの設定に使用される。テストスイッチ６２はリードスイッチが使用されており、テスト用のマグネットを近づけるとテストスイッチ６２が動作してテスト用電文を無線送信部６６から監視装置に送信させる。タンパスイッチ６４はカバー部材２４の着脱を検出するスイッチである。
【００４２】
無線送信部６６には送信回路が設けられ、監視状態を監視盤に対して無線通信を行う。
【００４３】
不揮発メモリ６８には装置の窓開閉検出用ホールセンサ４６から取得した磁力レベルＶｓ１と、磁力レベルＶｓ１に基づいて求めた窓開閉検出の第１窓判定閾値ＴＨ１と、悪戯などによる強い磁石を近づけたときの磁力を検出する第２窓判定閾値ＴＨ２が記憶されている。
【００４４】
また不揮発メモリ６８には、窓開閉検出装置１０を窓に設置した状態で行われるクレセント錠登録処理で施錠検出用ホールセンサ４８から取得した磁力レベルＶｓ２と、磁力レベルＶｓ２に基づいて求めた錠開閉検出の錠判定閾値ＴＨ３が記憶されている。
【００４５】
プロセッサ５０にはＣＰＵによるプログラムの実行により実現される機能として、窓開閉登録処理部７４、施錠登録処理部７６、窓開閉監視部７８、施錠監視部８０、状態報知部８２及び通信制御部８４が設けられている。
【００４６】
窓開閉登録処理部７４は、所定距離ｄ離して配置した実際に組み合わせて使用する窓開閉検出マグネット１４による磁力レベルＶｓを検出して不揮発メモリ６８に初期登録し、初期登録した磁力レベルＶｓ１に対し所定の比率だけ低いレベルを窓開閉の第１窓判定閾値ＴＨ１として不揮発メモリ６８に登録する。
【００４７】
更に、初期登録した磁力レベルＶｓ１に対し通常監視ではあり得ない所定の比率だけ高いレベルを悪戯により近づけられた強い磁石の磁力を判定する第２窓判定閾値ＴＨ２として不揮発メモリ６８に登録する。
【００４８】
施錠登録処理部７６は、図１のように、窓開閉検出装置１０、窓開閉検出マグネット１４及びクレセント錠検出マグネット２０の取り付け配置が完了した後、クレセント錠１６の開閉レバー１８を解錠位置に操作した状態とし、この状態で図３に示したようにカバー部材２４を外して装置本体２２の登録スイッチ６０を操作すると、所定期間の登録モードが設定され、登録処理が実行される。
【００４９】
登録モードが開始されると表示部５６の赤色ＬＥＤ５６ａが点滅を始める。赤色ＬＥＤ５６ａが点滅している間カバー部材２４を装置本体２２に装着し、クレセント錠１６の開閉レバー１８を施錠位置に操作してクレセント錠検出マグネット２０を近づけた状態とする。
【００５０】
施錠登録処理部７４は登録モードの動作中は、所定周期で施錠検出用ホールセンサ４８で検出した磁力レベルを取得し、予め設定した所定の有効レベルと比較し、有効レベルである場合には、不揮発メモリ６８に磁力レベルＶｓ２として記憶する。
【００５１】
なお、磁力レベルＶｓ２の初期登録は、磁力レベルの取り込みを複数回行い、所定回数連続して有効レベルを超えた場合に、最後に得られた磁力レベルを不揮発メモリ６８に初期登録する。
【００５２】
不揮発メモリ６８に磁力レベルＶｓ２が有効に初期登録されると、表示部５６の緑色ＬＥＤ５６ｂが点灯し、初期登録完了を知らせる。初期登録が完了すると、登録処理部７４は、初期登録した磁力レベルに対し所定比率低い値を算出し、クレセント錠の施錠解錠を判断する錠判定閾値ＴＨ３として不揮発メモリ６８に登録し、施錠監視部７８によるクレセント錠の施錠監視を開始させる。
【００５３】
一方、登録スイッチ６０の操作により登録モードを設定している所定時間以内に、カバー部材２４を閉じてクレセント錠１６の開閉レバー１８を施錠位置に戻す操作を行わなかった場合には、有効レベルの磁力レベルが得られないために、磁力レベルの初期登録か完了せず、登録モードを設定している所定時間以内を経過したときに、赤色ＬＥＤ５６ａが点滅から点灯に切り替わり、初期登録の失敗を表示し、登録処理のエラー状態をセットすると共に、施錠監視処理部７８によるクレセント錠の施錠監視を解除する。
【００５４】
この場合には、開閉レバー１８を解錠位置に戻し、カバー部材２４を開いて登録スイッチ６０を操作することで、再度、磁力レベルの初期登録を行うことができる。
【００５５】
窓開閉監視部７８は窓開閉検出用ホールセンサ４６から得られた磁力レベルを不揮発メモリ６８から読み出した第１窓判定閾値ＴＨ１と比較し、窓の開又は閉を判定し、判定結果を示す電文を無線送信部６６から監視盤に送信して警報又は警報解除を行わせる。
【００５６】
また、開閉監視部７６は外部から強力な磁石を近づけることで磁力レベルが閾値以下としないようにして窓をあけるような所謂不正行為に対処するため、窓開閉検出用ホールセンサ４６から得られた磁力レベルを不揮発メモリ６８から読み出した第２窓判定閾値ＴＨ２と比較し、磁力レベルが第２窓判定閾値ＴＨ２を超えた時にも窓開と見做して窓開を示す電文を送信する。
なお、施錠及び解錠時の磁力レベルに基づき通常使用状態の磁力レベルの適正範囲を設定し、磁力レベルが適正範囲から上下に外れた場合には不正行為が発生したと判定するようにしても良い。つまり、適正使用範囲の上限値を施錠時の磁力レベルよりも所定比率分高い値に設定し、下限値を解錠時の零点レベルよりも所定比率小さい値に設定して、適正範囲内に磁力レベルがあるかを検出して不正行為を判定するようにしてもよい。これはクレセント錠の磁力レベルの測定や窓開閉検出の磁力レベルの測定のいずれにおいても適用できる。
【００５７】
施錠監視部８０は施錠検出用ホールセンサ４８から得られた磁力レベルを施錠登録処理部７６により設定した錠判定閾値ＴＨ３と比較し、錠判定閾値ＴＨ３以下となった場合にクレセント錠の開と判断して錠開を示す電文を無線送信部６６から監視装置に送信して警報させる。また、施錠監視部８０は、錠開を検出した後に、錠閉に戻った場合にも、その旨の電文を監視装置に無線送信する。
【００５８】
状態報知部８２は、窓開閉監視部７８又は窓閉と施錠監視部８０により検出状態の変化を判別したときに、変化後の状態を表示部５６を使用して報知する。まず窓開閉監視部７８と施錠監視部８０による正常監視状態は、窓閉と錠閉の検出状態であり、この正常監視状態から窓開、錠開、若しくは窓開と錠開のいずれかの異常検出状態への状態変化を判別すると、状態報知部８２は異常検出状態を示す赤色ＬＥＤ５６ａを所定時間に亘り点灯駆動する。
【００５９】
また窓開、錠開、若しくは窓開と錠開のいずれかの異常検出状態から、窓閉で且つ錠閉の正常監視状態への状態変化を判定すると、状態報知部８２は正常監視状態を示す緑色ＬＥＤ５６ｂを所定時間に亘り点灯駆動する。
【００６０】
赤色ＬＥＤ５６ａ又は緑色ＬＥＤ５６ｂを点灯する時間は、例えば状態変化を判定してから状態変化を示す電文を監視装置に送信し終わるまでの時間としている。
【００６１】
通信制御部８２は窓開閉監視部７８及び施錠監視部８０の判断に基づく電文の送信に加え、一定時間間隔ごとに定期通報の電文を送信させる。
【００６２】
図７は、製造時の検査工程などの測定環境で行われる窓開閉監視の磁力レベルの初期登録におけるマグネットとホールセンサの配置を示した説明図である。
【００６３】
図７において、組立が完了した窓開閉検出装置１０を測定環境に配置し、例えば図４のような現場設置を予定していたとすると、窓開閉検出装置１０に内蔵した窓開閉検出用ホールセンサ４６の有効検出面に相対するように、装置左側面に対し例えばｄ＝２０ｍｍ離して実際に使用する窓開閉検出マグネット１４を配置する。
【００６４】
この場合、窓開閉検出マグネット１４の高さ方向の位置は、図３に示したカバー部材２４に形成しているマーカ２４ａにマグネット上端が合うように設置することで、マグネットの略中央に窓開閉検出用ホールセンサ４６が位置する図７の位置関係が得られる。
【００６５】
また、窓開閉検出装置１０に対しては登録支援用のパーソナルコンピュータを例えばシリアルポート５５に接続して窓開閉登録処理部７４として機能するプログラムをダウンロードしておく。
【００６６】
このような試験環境におけるセッティングが済んだならば、図３のように、カバー２４を外した状態で登録スイッチ６０をオン操作すると、赤色ＬＥＤ５６ａが点滅し、ダウンロードした窓開閉登録処理プログラムが起動して窓開閉登録モードを設定し、登録動作を開始する。なお、登録スイッチ５０を操作したら、速やかにカバー部材２４は装置本体に閉じる。
【００６７】
この登録動作は、窓開閉検出用ホールセンサ４６により検出された磁力レベルを取り込んで、予め設定した有効レベルであるか否か判定し、有効レベルである磁力レベルＶｓ１が得られたら、不揮発メモリ６８に初期登録する。この初期登録が済むと緑ＬＥＤ５６ｂが点灯し、初期登録完了を知らせる。
【００６８】
なお、磁力レベルの初期登録は、磁力レベルの取り込みを複数回行い、所定回数連続して有効レベルを超えた場合に、最後に得られた磁力レベルＶｓ１を不揮発メモリ６８に初期登録する。
【００６９】
磁力レベルＶｓ１の初期登録が完了したら、これより所定の比率低いレベルを窓開閉検出の第１窓判定閾値ＴＨ１として算出して不揮発メモリ６８に登録する。また初期登録した磁力レベルＶｓより所定比率高い通常監視状態では想定できない磁力レベルとなる第２窓判定閾値ＴＨ２を悪戯により加わる強い磁力を判定するために算出して不揮発メモリ６８に登録する。
【００７０】
なお、窓開閉登録処理が完了したら、そのためにダウンロードした窓開閉登録処理プログラムは残しておいても良いが、不要であることから消去する。
【００７１】
また設置現場が図５のような場合には、装置の右側に窓開閉検出マグネット１４を配置して同様な窓開閉登録処理を実行して磁力レベルＶｓ２の初期登録と第１及び第２窓判定閾値ＴＨ１，ＴＨ２の登録を行う。
【００７２】
ただし、窓開閉検出マグネット１４を左側に配置して磁力レベルを初期設定して判定閾値を求めた後に、実際の現場で逆の配置関係になったとしても、初期登録した磁力レベルにつき左右の相違によるレベル差はほんとんなく、逆の配置であっても、改めて初期登録することなく、そのまま現場に設置して窓開閉を有効に監視することができる。
【００７３】
図８は図６のＡＤ変換ポート７０による磁力レベル検出信号のＡＤ変換特性を示したグラフ図である。図６に示した窓開閉検出用ホールセンサ４６は磁力線の通過方向によりプラス極性の磁力レベル検出信号とマイナス極性の磁力レベル検出信号を出力する。
【００７４】
窓開閉検出用ホールセンサ４６からの磁力レベル検出信号は増幅回路５２で増幅された後にＡＤ変換ポート７０により例えば８ビットの磁力レベルデータ（ＡＤ変換値）に変換される。
【００７５】
このＡＤ変換ポート７０の変換特性は、図８の縦軸に示すように、１０進ＡＤ変換値として０〜２５６の値を持ち、入力するプラス極性の磁力レベル検出信号０〜＋ＶｍａｘをＡＤ変換値１２８〜２５６に変換し、入力するマイナス極性の磁力レベル検出信号０〜−ＶｍａｘをＡＤ変換値１２８〜０に変換する。
【００７６】
図９は本実施形態における装置側面から窓開閉検出マグネット１４までの距離ｄに対する窓開閉検出用ホールセンサ４６で検出した磁力レベルの関係を示したグラフ図である。なお、実際のＡＤ変換ポート７０の変換特性は図８のようになるが、図９にあっては、説明を簡単にするため、磁化レベル検出信号の極性に関らず、ＡＤ変換値を０〜１２８として示している。
【００７７】
図９の特性は、例えば図７の設置状態で、装置側面から窓開閉検出マグネット１４までの距離ｄをｄ＝０〜２４ｍｍの範囲で変化させて測定した磁力レベルに対応したＡＤ変換値を示している。
【００７８】
このような特性において、例えばｄ＝２０ｍｍとなるマグネット配置を予定したとすると、このときのＰ点に対応した磁力レベルＶｓ１が求まる。続いて、磁力レベルＶｓ１から所定比率αだけ低い値を第１窓判定閾値ＴＨ１として設定し、更に、磁力レベルＶｓに対し所定比率高い値を第２窓判定閾値ＴＨ２として設定する。
【００７９】
図１０は、本実施形態におけるクレセント錠検出マグネット２０と施錠検出用ホールセンサ４８の関係を示した説明図である。図１０において、窓開閉検出装置１０における装置本体２２のクレセント錠側の端部には施錠検出用ホールセンサ４８が配置され、その前方（下方）にカバー部材２４に収納した円錐状の集磁体２６を配置している。また施錠検出用ホールセンサ４８の後方（上方）には電池４４が配置されている。
【００８０】
クレセント錠１６の開閉レバー１８に設けたクレセント錠検出マグネット２０は、開閉レバー１８の施錠状態で図示のカバー部材２４の外端面から距離ｈに位置し、この施錠位置での距離ｈが最小距離となる。クレセント錠検出マグネット２０からの磁束は集磁体２６の大径入射面に入った後、反対側の小径出射面に収束されて施錠検出用ホールセンサ４８を通過する。
【００８１】
このようなクレセント錠検出マグネット２０による磁束は施錠検出用ホールセンサ４８で磁力に応じた電圧信号として検出され、増幅回路５２で増幅した後にＡＤ変換ポート７２により磁力レベル（ＡＤ変換値）として読み込まれる。
【００８２】
図１１は図１０に示した装置端面からクレセント錠検出マグネット２０までの距離ｈに対する施錠錠検出用ホールセンサ４８で検出した磁力レベルの関係を示したグラフ図である。なお、実際のＡＤ変換ポート７０の変換特性は図８のようになるが、図１１にあっては、説明を簡単にするため、磁化レベル検出信号の極性に関らず、ＡＤ変換値を０〜１２８として示している。
【００８３】
ここで例えばクレセント錠検出マグネット２０までの距離ｈがｈ＝２０ｍｍであったとすると、Ｐ点に対応した磁力レベルＶｓ２が初期登録される。また錠判定閾値ＴＨ３は、初期登録した磁力レベルＶｓ２から所定比率下げた値として設定される。
【００８４】
図１２は図６のプロセッサによる本実施形態の監視処理を示したフローチャートである。
【００８５】
図１２において、図４に示したような現場設置が済んだ状態で電池４４の装着により電源が投入されると、ステップＳ１で初期化処理と自己診断処理が実行され、異常が無ければステップＳ２に進み、不揮発メモリ６８に記憶されている窓開閉監視の磁力レベルＶｓ１及び第１及び第２窓判定閾値ＴＨ１，ＴＨ２を含むデータを読み込む。
【００８６】
続いてステップＳ３に進み、施錠監視登録モードか否か判定し、カバー部材２４を開いて登録スイッチ６０をオン操作することによって施錠監視登録モードの設定が判別されると、ステップＳ４に進んで施錠検出用ホールセンサ４８による磁力レベルＶｓ２の初期登録と、クレセント錠１６の施錠と解錠を検出するための錠判定閾値ＴＨ３の登録を含む施錠監視登録処理を実行する。
【００８７】
続いてステップＳ５で所定の監視周期への到達の有無を判定しており、監視周期への到達を判定するとステップＳ６に進んで電池４４に対するローバッテリ監視処理を実行する。このとき電池電圧が規定電圧以下に低下していると、ローバッテリを示す電文を監視盤に無線送信して障害表示を行わせる。
【００８８】
次にステップＳ７で窓開閉監視処理を実行し、窓開又は窓閉を判定すると、その内容を示す電文を監視盤に送信する。更にステップＳ８で施錠監視処理を実行し、錠開又はその後の錠閉を判定すると、その内容を示す電文を監視盤に送信する。続いてステップＳ９で定期通報時間経過かを判別し、経過を判別した場合にはステップＳ１０に進み、定期通報電文を監視盤に送信する定期通報処理を行う。
【００８９】
図１３は図１２のステップＳ７における窓開閉監視処理の詳細を示したフローチャートである。
【００９０】
図１３において、まずステップＳ１１で窓開閉検出用ホールセンサ４６により検出された磁力レベルをＡＤ変換値として取得し、ステップＳ１２に進んで前回が窓開判定であることを判別すると、ステップＳ１３に進んで第１窓判定閾値ＴＨ１と比較する。
【００９１】
ステップＳ１３で磁力レベルが第１窓判定閾値ＴＨ１以下であればステップＳ１４に進んで窓開判定とし、この場合、窓閉の判定状態から窓開の判定状態となる異常検出状態への変化であることから、ステップＳ１５で赤色ＬＥＤ５６ａを点灯し、異常検出状態への状態変化を報知する。
【００９２】
続いてステップＳ１６で窓開判定の電文を監視盤に向けて無線送信し、無線送信が終了するとステップＳ１７で赤色ＬＥＤ５６ｂを消灯する。
【００９３】
一方、ステップＳ１３で磁力レベルが第１窓判定閾値ＴＨ１を超えていた場合はステップＳ１８で第２窓判定閾値ＴＨ２と比較し、第２窓判定閾値ＴＨ２以上の場合は、悪戯などにより強力な磁石を外から近づけたことによる磁力レベルの異常な増加と判断し、ステップＳ１４に進んで窓開判定とし、ステップＳ１５〜Ｓ１７で赤色ＬＥＤ５６ａを窓開判定電文の無線送信が終了するまで点灯駆動する。
【００９４】
また、ステップＳ１２で前回が開判定であった場合には、ステップＳ１９に進み、磁力レベルが第１窓判定閾値レベルＴＨ１より大きく、第２窓判定閾値ＴＨ２より小さいときはステップＳ２０に進んで窓閉判定を行う。
【００９５】
続いてステップＳ２１で施錠監視部８０により現在クレセント錠の閉判定中か否か判別し、閉判定中であれば、窓閉で且つ錠閉となる正常監視状態に変化していることからステップＳ２２に進んで緑色ＬＥＤ５６ａを選択する。一方、ステップＳ２１で開判定中であれば、窓開で且つ錠閉となる異常検出状態にあることからステップＳ２３に進んで赤色ＬＥＤ５６ｂを選択する。
【００９６】
そしてステップＳ２４に進み、既に選択した赤色ＬＥＤ５６ａ又は緑色ＬＥＤ５６ｂを点灯してステップＳ２５で窓閉の判定電文を無線送信し、送信が終了するとステップＳ２６で点灯しているＬＥＤを消灯する。
【００９７】
図１４は図１２のステップＳ８における窓開閉監視処理の詳細を示したフローチャートである。
【００９８】
図１４において、まずステップＳ３１で施錠検出用ホールセンサ４８により検出された磁力レベルをＡＤ変換値として取得し、ステップＳ３２に進んで前回が窓閉判定であることを判別すると、ステップＳ３３に進んで錠判定閾値ＴＨ３と比較する。
【００９９】
ステップＳ３３で磁力レベルが錠判定閾値ＴＨ３以下であればステップＳ３４に進んで錠開判定とし、この場合、錠閉の判定状態から錠開の判定状態となる異常検出状態への変化であることから、ステップＳ３５で赤色ＬＥＤ５６ａを点灯し、異常検出状態への状態変化を報知する。
【０１００】
続いてステップＳ３６で錠開判定の電文を監視装置に向けて無線送信し、無線送信が終了するとステップＳ７で赤色ＬＥＤ５６ｂを消灯する。
【０１０１】
ステップＳ３２で前回が開判定であった場合には、ステップＳ３８に進み、磁力レベルが錠判定閾値レベルＴＨ３より大きいときはステップＳ３９に進んで錠閉判定を行う。
【０１０２】
続いてステップＳ４０で窓開閉監視部７８により現在窓の閉判定中か否か判別し、閉判定中であれば、窓閉で且つ錠閉となる正常監視状態に変化していることからステップＳ４１に進んで緑色ＬＥＤ５６ａを選択する。一方、ステップＳ４０で窓開判定中であれば、窓開で且つ錠閉となる異常検出状態にあることからステップＳ４２に進んで赤色ＬＥＤ５６ｂを選択する。
【０１０３】
そしてステップＳ４３に進み、既に選択した赤色ＬＥＤ５６ａ又は緑色ＬＥＤ５６ｂを点灯してステップＳ４４で錠閉の判定電文を無線送信し、送信が終了するとステップＳ４５で点灯しているＬＥＤを消灯する。
【０１０４】
このような図１３及び図１４による監視処理によれば、例えば外出の際に窓を閉めてクレセント錠を施錠すると、窓開閉検出装置１０の緑色ＬＥＤ５６が点灯し、正しく監視状態へのセットが行われたことが確認できる。このとき、もし、赤色ＬＥＤ５６ａが点灯した場合は、窓が完全に閉じられてないか、クレセント錠が施錠されていないか、施錠されていても開閉レバーを完全な閉鎖位置まで回していない状態であり、監視状態にセットされていないことを赤色ＬＥＤ５６ａの点灯から知って、監視状態へのセットをやり直し、緑色ＬＥＤ５６の点灯で確認できる。
【０１０５】
また設置現場でクレセント錠の登録処理を完了した後において、窓の開閉とクレセント錠の開閉に対する状態変化を赤色ＬＥＤ５６ａと緑色ＬＥＤ５６ｂの点灯状態から簡単に確認することができ、別途設定している監視盤に出向いて検出状態を確認する手間が無くなり、本実施形態の窓開閉検出装置を使用した監視システムの設置調整作業のミスを起こすことなく効率良く進めることができる。
【０１０６】
なお、窓開閉監視及び施錠監視による状態変化の報知を赤色ＬＥＤと青色ＬＥＤの所定時間に亘る点灯で報知しているが、ＬＥＤ以外の表示手段を使用しても良いし、表示以外にブザーなどの音響出力や液晶表示などによる変化した状態を報知するようにしても良い。
【０１０７】
また、本発明はその目的と利点を損なうことの無い適宜の変形を含み、更に、上記の実施形態に示した数値による限定は受けない。
【図面の簡単な説明】
【０１０８】
【図１】本発明による窓開閉検出装置の設置状態を示した説明図
【図２】本発明による窓開閉検出装置の実施形態を示した組立分解図
【図３】本実施形態による窓開閉検出装置についてカバー部材を装置本体から外した状態を示した説明図
【図４】図１の設置状態におけるホールセンサとマグネットの関係を示した説明図
【図５】図１に対し窓の開閉が逆になった設置状態におけるホールセンサとマグネットの関係を示した説明図
【図６】本実施形態による窓開閉検出装置の回路構成を示したブロック図
【図７】調整工程などの測定環境で行われる窓開閉監視の磁力レベルの初期登録におけるマグネットとホールセンサの配置を示した説明図
【図８】図６のＡＤ変換ポートによる磁力レベル検出信号のＡＤ変換特性を示したグラフ図
【図９】本実施形態における装置側面からマグネットまでの距離に対するホールセンサで検出した磁力レベルの関係を示したグラフ図
【図１０】本実施形態におけるクレセント錠検出マグネットとホールセンサの関係を示した説明図
【図１１】本実施形態における装置下端からクレセント錠検出マグネットまでの距離に対するホールセンサで検出した磁力レベルの関係を示したグラフ図
【図１２】図６のプロセッサによる本実施形態の窓開閉検出処理を示したフローチャート
【図１３】図１２のステップＳ７における窓開閉監視処理の詳細を示したフローチャート
【図１４】図１２のステップＳ８におけるクレセント錠開閉監視処理の詳細を示したフローチャート
【符号の説明】
【０１０９】
１０：窓開閉検出装置
１２ａ，１２ｂ：窓サッシ
１４：窓開閉検出マグネット
１６：クレセント錠
１８：開閉レバー
２０：クレセント錠検出マグネット
２２：装置本体
３６：ボディケース
４６：窓開閉検出用ホールセンサ
４８：施錠検出用ホールセンサ
５６：表示部
６０：登録スイッチ
【図１】
2010129011.tif 000003
【図２】
2010129011.tif 000004
【図３】
2010129011.tif 000005
【図４】
2010129011.tif 000006
【図５】
2010129011.tif 000007
【図６】
2010129011.tif 000008
【図７】
2010129011.tif 000009
【図８】
2010129011.tif 000010
【図９】
2010129011.tif 000011
【図１０】
2010129011.tif 000012
【図１１】
2010129011.tif 000013
【図１２】
2010129011.tif 000014
【図１３】
2010129011.tif 000015
【図１４】
2010129011.tif 000016